(57)【特許請求の範囲】
【請求項１】
光を放出して携帯型照明デバイスの環境を照明する少なくとも１つの光源と、
それぞれがセンサ出力信号を提供する少なくとも１つのセンサと、
前記少なくとも１つのセンサのそれぞれから前記センサ出力信号を受け取る制御モジュールとを備える携帯型照明デバイスであって、前記制御モジュールは、
少なくとも１つの前記センサ出力信号の１つ又は複数に基づいて、前記携帯型照明デバイスが支持されている支持表面に対する前記携帯型照明デバイスの使用者の操作を検出し、
検出された前記使用者の操作に基づいて、前記少なくとも１つの光源から放出される光を制御し、
前記使用者の操作は、前記支持表面に対する前記携帯型照明デバイスの並進運動を含む、
携帯型照明デバイス。
【請求項２】
前記制御モジュールは、前記制御モジュールの動作モードが有効であるときに前記使用者の操作の検出が生じた場合にのみ前記制御を実行する、請求項１に記載の携帯型照明デバイス。
【請求項３】
前記制御モジュールは、前記少なくとも１つのセンサ出力信号の１つ又は複数に基づいて、前記携帯型照明デバイスが前記支持表面上に位置決めされていると決定し、前記決定に応答して前記動作モードを有効にする、請求項２に記載の携帯型照明デバイス。
【請求項４】
前記制御モジュールは、前記少なくとも１つのセンサ出力信号の１つ又は複数に基づいて、前記携帯型照明デバイスが実質上水平の平面内に位置決めされていると決定し、前記決定に応答して前記動作モードを有効にする、請求項２又は３に記載の携帯型照明デバイス。
【請求項５】
通信インターフェースをさらに備え、前記制御モジュールは、遠隔制御デバイスから受け取った命令を、前記通信インターフェースを介して受け取ったことに応答して、前記動作モードを有効にする、請求項２乃至４のいずれか一項に記載の携帯型照明デバイス。
【請求項６】
前記使用者の操作は、前記支持表面に対する前記携帯型照明デバイスの回転を含む、請求項１乃至５のいずれか一項に記載の携帯型照明デバイス。
【請求項７】
前記制御モジュールは、検出された回転の方向に基づいて、前記少なくとも１つの光源から放出される光を制御する、請求項６に記載の携帯型照明デバイス。
【請求項８】
前記制御モジュールは、検出された並進運動の方向に基づいて、前記少なくとも１つの光源から放出される光を制御する、請求項１に記載の携帯型照明デバイス。
【請求項９】
複数の照明コマンドを記憶するメモリをさらに備え、前記制御モジュールは、前記検出された使用者の操作に基づいて、前記メモリに照会して照明コマンドを決定し、前記照明コマンドを前記少なくとも１つの光源へ送って、前記少なくとも１つの光源から放出される光を制御する、請求項１乃至８のいずれか一項に記載の携帯型照明デバイス。
【請求項１０】
通信インターフェースをさらに備え、前記制御モジュールは、ネットワークインターフェースを介して前記照明コマンドを少なくとも１つの遠隔照明デバイスへ伝送して、前記少なくとも１つの遠隔照明デバイスによって放出される光を制御する、請求項９に記載の携帯型照明デバイス。
【請求項１１】
前記制御モジュールは、前記検出された使用者の操作に基づいて、前記少なくとも１つの光源から放出される光の少なくとも１つの照明パラメータを制御し、前記少なくとも１つの照明パラメータは、前記少なくとも１つの光源から放出される光の強度、色、飽和度、色温度、サイズ、形状、パターン、及びダイナミックスのうちの１つ又は任意の組合せである、請求項１乃至１０のいずれか一項に記載の携帯型照明デバイス。
【請求項１２】
前記制御モジュールは、複数の光パラメータ制御モードのうちの１つで動作し、各前記光パラメータ制御モードにおいて、前記制御モジュールは、前記少なくとも１つの光源から放出される光の異なる照明パラメータを制御する、請求項１１に記載の携帯型照明デバイス。
【請求項１３】
少なくとも１つの発光フィードバック素子をさらに備え、前記制御モジュールは、前記少なくとも１つの発光フィードバック素子を制御して、使用者が前記携帯型照明デバイスを操作したときに変動する前記少なくとも１つの照明パラメータ、及び前記携帯型照明デバイスの操作が前記少なくとも１つの照明パラメータをどのように変動させたかに関する表示を提供するための光を放出する、請求項１１又は１２に記載の携帯型照明デバイス。
【請求項１４】
コンピュータ可読媒体上で実施されるコードであって、光を放出して携帯型照明デバイスの環境を照明する少なくとも１つの光源と、それぞれがセンサ出力信号を提供する少なくとも１つのセンサとを備える前記携帯型照明デバイスのプロセッサ上で実行されたとき、
少なくとも１つの前記センサ出力信号の１つ又は複数に基づいて、前記携帯型照明デバイスが支持されている支持表面に対する前記携帯型照明デバイスの使用者の操作を検出し、
検出された前記使用者の操作に基づいて、前記少なくとも１つの光源から放出される光を制御する、
前記コードを備え、
前記使用者の操作は、前記支持表面に対する前記携帯型照明デバイスの並進運動を含む、コンピュータプログラム。
【発明の詳細な説明】
【技術分野】
【０００１】
本開示は、携帯型照明デバイスに関する。
【背景技術】
【０００２】
固体照明及び充電式電池の両方における最近の進歩により、人々が持ち運びできるエネルギー効率のよい小型の携帯型照明デバイスの生成が可能になった。携帯型照明デバイスとは、有線の電源なしでその照明機能を提供することができる照明デバイスであり、典型的には、照明デバイスに搭載された電池を用いた電池給電式であり、又はその代わりに、手動のダイナモなどの搭載された別のタイプの電源によって給電され、若しくはさらには放射電磁誘導に基づく無線電力伝送（ＷＰＴ）技法を使用して給電されることもある。したがって、使用者は、携帯型照明デバイスをある場所から次の場所へ持ち運ぶことができる。たとえば、携帯型照明デバイスを居間から庭のテラス又は浴室へ持ち出して、居心地の良い雰囲気又はロマンチックな雰囲気を作り出すことができる。
【０００３】
典型的には、知られている携帯型照明デバイスによって放出される光は、携帯型照明上に位置する１つ又は複数のスイッチを使用して制御することができる。他の携帯型照明デバイスは、少なくとも部分的に容量性のタッチセンシティブ表面を含む。使用者の接触は、その静電容量の変化に基づいて検出され、使用者の接触の性質に基づいて、携帯型照明デバイスの１つ又は複数の光源によって放出される光が変更される。
【発明の概要】
【課題を解決するための手段】
【０００４】
本開示の一態様によれば、光を放出して携帯型照明デバイスの環境を照明するように配置された少なくとも１つの光源と、それぞれがセンサ出力信号を提供するように配置された少なくとも１つのセンサと、少なくとも１つのセンサのそれぞれからセンサ出力信号を受け取るように配置された制御モジュールとを備える携帯型照明デバイスが提供され、制御モジュールは、少なくとも１つのセンサ出力信号の１つ又は複数に基づいて、携帯型照明デバイスが支持されている支持表面に対する携帯型照明デバイスの使用者の操作を検出し、検出された使用者の操作に基づいて、少なくとも１つの光源から放出される光を制御し、少なくとも１つのセンサ出力信号の１つ又は複数に基づいて、前記支持表面に対する携帯型照明デバイスの並進運動を検出し、検出された並進運動に基づいて、少なくとも１つの光源から放出される光を制御するように構成される。
【０００５】
制御モジュールは、制御モジュールの動作モードが有効であるときに使用者の操作の検出が生じた場合にのみ前記制御を実行するように構成される。
【０００６】
制御モジュールは、少なくとも１つのセンサ出力信号の１つ又は複数に基づいて、携帯型照明デバイスが前記支持表面上に位置決めされていると決定し、前記決定に応答して前記動作モードを有効にするように構成される。
【０００７】
制御モジュールは、少なくとも１つのセンサ出力信号の１つ又は複数に基づいて、携帯型照明デバイスが実質上水平の平面内に位置決めされていると決定し、前記決定に応答して前記動作モードを有効にするように構成される。
【０００８】
携帯型照明デバイスは、通信インターフェースをさらに備え、制御モジュールは、遠隔制御デバイスから受け取った命令を、前記通信インターフェースを介して受け取ったことに応答して、前記動作モードを有効にするように構成される。
【０００９】
制御モジュールは、少なくとも１つのセンサ出力信号の１つ又は複数に基づいて、前記支持表面に対する携帯型照明デバイスの回転を検出し、検出された回転に基づいて、少なくとも１つの光源から放出される光を制御するように構成される。制御モジュールは、検出された回転の方向に基づいて、少なくとも１つの光源から放出される光を制御するように構成される。
【００１０】
制御モジュールは、検出された並進運動の方向に基づいて、少なくとも１つの光源から放出される光を制御するように構成される。
【００１１】
制御モジュールは、（ｉ）少なくとも１つのセンサ出力信号の１つ又は複数に基づいて、使用者の操作中に使用者の指が携帯型照明デバイスに接触している位置を決定し、（ｉｉ）前記決定に基づいて、携帯型照明デバイスの並進運動が前記使用者に向かっているか、それとも前記使用者から離れているかを検出し、（ｉｉｉ）前記検出に基づいて、少なくとも１つの光源から放出される光を制御するように構成される。
【００１２】
携帯型照明デバイスは、複数の照明コマンドを記憶するメモリをさらに備え、制御モジュールは、検出された使用者の操作に基づいて、前記メモリに照会して照明コマンドを決定し、照明コマンドを少なくとも１つの光源へ送って、少なくとも１つの光源から放出される光を制御するように構成される。
【００１３】
携帯型照明デバイスは、通信インターフェースをさらに備え、制御モジュールは、ネットワークインターフェースを介して照明コマンドを少なくとも１つの遠隔照明デバイスへ伝送して、少なくとも１つの遠隔照明デバイスによって放出される光を制御するように構成される。
【００１４】
制御モジュールは、検出された使用者の操作に基づいて、少なくとも１つの光源から放出される光の少なくとも１つの照明パラメータを制御するように構成され、少なくとも１つの照明パラメータは、少なくとも１つの光源から放出される光の強度、色、飽和度、色温度、サイズ、形状、パターン、及びダイナミックスのうちの１つ又は任意の組合せである。
【００１５】
制御モジュールは、複数の光パラメータ制御モードのうちの１つで動作するように構成され、それによって、各光パラメータ制御モードにおいて、制御モジュールは、少なくとも１つの光源から放出される光の異なる照明パラメータを制御するように構成される。
【００１６】
携帯型照明デバイスは、少なくとも１つの発光フィードバック素子を備え、制御モジュールは、少なくとも１つの発光フィードバックを制御して、使用者が携帯型照明デバイスを操作したときに変動する少なくとも１つの照明パラメータ、及び携帯型照明デバイスの操作が少なくとも１つの照明パラメータをどのように変動させたかに関する表示を提供するための光を放出するように構成される。
【００１７】
本開示の別の態様によれば、コンピュータ可読媒体上で実施されるコードを備えるコンピュータプログラム製品が提供され、このコンピュータプログラム製品は、光を放出して携帯型照明デバイスの環境を照明するように配置された少なくとも１つの光源と、それぞれがセンサ出力信号を提供するように配置された少なくとも１つのセンサとを備える携帯型照明デバイスのプロセッサ上で実行されたとき、少なくとも１つのセンサ出力信号の１つ又は複数に基づいて、携帯型照明デバイスが支持されている支持表面に対する携帯型照明デバイスの使用者の操作を検出し、検出された使用者の操作に基づいて、少なくとも１つの光源から放出される光を制御するように構成される。
【００１８】
実施形態では、コンピュータプログラム製品は、本明細書に開示する制御モジュールの特徴のいずれかに応じてさらに構成される。
【００１９】
上記その他の態様は、以下に記載する実施形態から明らかになる。本開示の範囲は、この概要によって限定されることも、上記の欠点のいずれか又はすべてを必ず解決する実施形態に限定されることも意図するものではない。
【００２０】
本開示をよりよく理解する目的で、実施形態をどのように実施するかを示すために、添付の図面を参照する。
【図面の簡単な説明】
【００２１】
【図１】携帯型照明デバイスの概略ブロック図である。
【図２ａ】携帯型照明デバイスの例示的な使用者の操作を示す図である。
【図２ｂ】携帯型照明デバイスの例示的な使用者の操作を示す図である。
【図３】携帯型照明デバイスの制御モジュールによってその動作モードを制御するために実施されるプロセスの流れ図である。
【図４】携帯型照明デバイスの光源から放出される光を制御するために制御モジュールによって実施されるプロセスの流れ図である。
【図５】携帯型照明デバイスの外面上に位置するフィードバック照明素子を示す図である。
【図６】接続された照明システムを示す図である。
【発明を実施するための形態】
【００２２】
以下に記載する実施形態では、携帯型照明デバイスの制御モジュールは、携帯型照明デバイスの少なくとも１つのセンサから受け取った入力を使用して、携帯型照明デバイスが支持されている支持表面に対して携帯型照明デバイスを操作する使用者の行動を検出し、検出された使用者の操作に基づいて、携帯型照明デバイスによって出力される光を制御する。
【００２３】
携帯型照明デバイスが使用者によって持ち上げられたときの意図しない制御を避けるために、いくつかの実施形態では、制御モジュールは、対話動作モードで選択的に動作することが可能である。対話動作モードの有効化は、以下でより詳細に説明する様々なやり方で実施される。制御モジュール１１０が対話動作モードで動作しているときのみ、制御モジュールは、感知された運動入力を照明コマンドに変換して、携帯型照明デバイスの光源を制御する。
【００２４】
携帯型照明デバイスの使用者は、デバイス自体（デバイス上のスイッチ又はタッチセンシティブ領域ではない）と対話して、携帯型照明デバイスによって出力される光を制御し、その結果、出力される光を制御する容易で直感的な機構が提供され、「制御している」という感覚を使用者に与える。
【００２５】
携帯型照明デバイス１００の概略ブロック図を示す図１をまず参照する。図１に示す携帯型照明デバイス１００の形態は例示のみを目的とするものであり、携帯型照明デバイス１００は、立方体（若しくは任意の他の多面体）、円筒、球、鉢形、又は任意の他の３次元形状などの様々な異なる形態をとることができることに留意されたい。
【００２６】
図１に示すように、携帯型照明デバイス１００はハウジング１０２を備え、ハウジング１０２内に携帯型照明デバイス１００の構成要素が収容される。携帯型照明デバイス１００の構成要素は、１つ又は複数の光源１０６と、少なくとも１つのセンサ１０８と、メモリ１１６に結合された制御モジュール１１０とを含む。ハウジング１０２は、たとえば、光源１０６によって放出される照明を拡散させるように配置された拡散器１０４を備える。携帯型照明デバイス１００は、図１に示されていない他の構成要素及び接続を備えることもできることが理解されよう。
【００２７】
光源１０６は、光を放出して携帯型照明デバイス１００の環境を照明するように動作可能であり、携帯型照明デバイス１００の環境は、部屋若しくは建物などの室内空間、及び／又は庭若しくは公園などの屋外空間、及び／又は東屋若しくはスタジアムなどの部分的に覆われた環境、及び／又は車両の車内などの任意の他のタイプの環境を含む。
【００２８】
光源１０６は、たとえば、高圧／低圧のガス放電源、レーザダイオード、無機／有機発光ダイオード（ＬＥＤ）、白熱光源、又はハロゲン白熱光源などの任意の適した光源を含む。光源は、単一の光源であり、又は複数の光源、たとえば単一の光源として集合的に動作する光源のアレイを形成する複数のＬＥＤを含むこともできる。光源１０６は、光源１０６によって放出される光が制御モジュール１１０によって制御されるという点で制御可能である。
【００２９】
実施形態では、制御モジュール１１０は、センサ１０８から受け取った少なくとも１つのセンサ出力信号に基づいて、携帯型照明デバイスが支持されている支持表面（たとえば、台、棚、床など）に対する携帯型照明デバイス１００の使用者の操作を検出し、検出された使用者の操作に基づいて、光源１０６から放出される光を制御するように構成される。
【００３０】
本明細書に参照する制御モジュール１１０の機能は、１つ又は複数の記憶媒体を備えるメモリ（たとえば、メモリ１１６）上に記憶されたコード（ソフトウェア）で実施され、このコードは、実行のために処理ユニットの１つ又は複数を備えるプロセッサ上に配置される。コードは、メモリから取り出してプロセッサ上で実行するとき、以下に論じる実施形態に従って動作を実行するように構成される。別法として、制御モジュール１１０の機能の一部又はすべてが、専用のハードウェア回路、又はフィールドプログラマブルゲートアレイ（ＦＰＧＡ）のような設定可能なハードウェア回路内で実施されることも除外されない。
【００３１】
使用者の操作の１つのタイプは、携帯型照明デバイス１００の回転である。図２ａは、支持表面２００に対する携帯型照明デバイス１００の例示的な回転（時計回り）の上面図を示す。携帯型照明デバイス１００の回転（それ自体の軸の周り）を検出するために、様々な感知手段が使用される。
【００３２】
少なくとも１つのセンサ１０８は、様々な軸における動きを検出して、対応する信号を制御モジュール１１０へ提供するように構成された多軸加速度計（２軸又は３軸加速度計など）を含む。この例では、制御モジュール１１０は、少なくとも多軸加速度計から受け取った信号に基づいて、携帯型照明デバイス１００の回転を検出するように構成される。
【００３３】
別法又は追加として、少なくとも１つのセンサ１０８は、角運動を検出して、対応する信号を制御モジュール１１０へ提供するように構成されたジャイロスコープを含む。この例では、制御モジュール１１０は、少なくともジャイロスコープから受け取った信号に基づいて、携帯型照明デバイス１００の回転を検出するように構成される。
【００３４】
別法又は追加として、少なくとも１つのセンサ１０８は、地球の磁界を感知して携帯型照明デバイス１００の絶対方位を検出し、対応する信号を制御モジュール１１０へ提供するように構成された磁気センサ（コンパス及び／又は磁力計など）を含む。この例では、制御モジュール１１０は、少なくとも磁気センサから受け取った信号に基づいて、携帯型照明デバイス１００の回転を検出するように構成される。特に、制御モジュール１１０は、携帯型照明デバイス１００の絶対方位の変化を検出したことに基づいて、携帯型照明デバイス１００の回転を検出するように構成される。
【００３５】
別法又は追加として、少なくとも１つのセンサ１０８は、回転マウスを含む。回転マウスは、従来のマウスの機能を拡大し、既存のｘ（ロール）及びｙ（ピッチ）の次元の入力に第３の次元の入力であるヨー（又はＲｚ）を加えることによって、３つの自由度を容易にするタイプのコンピュータマウスである。すなわち、回転マウスは、３次元の空間データを出力として提供する。この例では、制御モジュール１１０は、少なくとも回転マウスから受け取った信号に基づいて、携帯型照明デバイス１００の回転を検出するように構成される。
【００３６】
メモリ１１６は、携帯型照明デバイス１００の使用者の操作に関連する事前定義された照明制御コマンドを記憶する。たとえば、メモリ１１６は、携帯型照明デバイス１００の回転に関連する事前定義された照明制御コマンドを記憶する。
【００３７】
携帯型照明デバイス１００の回転を検出したことに応答して、制御モジュール１１０は、メモリ１１６に照会して、光源１０６へ送るべき照明制御コマンドを決定し、決定した照明制御コマンドを光源１０６へ送るように構成される。
【００３８】
照明コマンドは、光源１０６によって放出される光を制御するために使用される。たとえば、照明コマンドは、光源１０６によって放出される光の１つ又は複数の照明パラメータ（たとえば、強度、色、飽和度、色温度、サイズ、形状、パターン、ダイナミックスなど）を制御するために使用される。回転により、照明パラメータ値の漸進的な連続制御を提供し、又は離散的な段階を経る照明パラメータ値を提供することもできる。たとえば、携帯型照明デバイス１００が電子ＬＥＤキャンドルの形態をとる実施形態では、回転により、火炎効果の明るさ、火炎サイズ（光を放出している光源の数）、又は火炎効果のダイナミックスレベル（たとえば、事前定義された光パターンが繰り返される速度を制御する）など、携帯型照明デバイス１００上で現在有効な効果に関する照明パラメータを制御することができる。
【００３９】
制御モジュール１１０は、携帯型照明デバイス１００の検出された回転の方向に応じて、光源１０６へ伝送するのに適当な照明制御コマンドを選択する。たとえば、携帯型照明デバイス１００の時計回り回転の検出に応答して、照明パラメータ値を増大させるための照明コマンドが制御モジュール１１０によって選択され、携帯型照明デバイス１００の反時計回り回転の検出に応答して、照明パラメータ値を減少させるための照明コマンドが制御モジュール１１０によって選択される。
【００４０】
回転により光源１０６によって放出される光の強度を制御するシナリオでは、携帯型照明デバイス１００の時計回り回転により、光源１０６によって出力される光の強度を増大させ（光を明るくする）、反時計回り回転により、光源１０６によって出力される光の強度を減少させる（光を暗くする）。このシナリオでは、使用者が携帯型照明デバイス１００を回転させることによって、携帯型照明デバイスをオン又はオフにすることが可能であることが理解されよう。この概念上の動作は、オンオフスイッチ及びボリューム調節を単一のＵＩ要素内に一体化しているカーラジオの従来の回転式ボリューム調節つまみの動作から使用者には知られている。
【００４１】
使用者の操作の別のタイプは、携帯型照明デバイス１００の並進運動である。図２ｂは、支持表面２００に対して異なる方向への携帯型照明デバイス１００の例示的な並進運動の上面図を示す。携帯型照明デバイス１００の並進運動を検出するために、様々な感知手段が使用される。
【００４２】
少なくとも１つのセンサ１０８は、線形運動（単一の空間次元で表すことができる）又は非線形運動（少なくとも２つの空間次元で表すことができる）である携帯型照明デバイス１００の並進運動を検出し、対応する信号を制御モジュール１１０へ提供するように構成された加速度計を含む。この例では、制御モジュール１１０は、少なくとも加速度計から受け取った信号に基づいて、携帯型照明デバイス１００の並進運動を検出するように構成される。この加速度計は、携帯型照明デバイス１００の回転を検出するために使用される上述したものと同じ加速度計とすることができ、又は別法として、携帯型照明デバイス１００の並進運動を検出する専用の加速度計とすることもできる。
【００４３】
別法又は追加として、少なくとも１つのセンサ１０８は、光学式コンピュータマウスで広く適用されているセンサ技術に基づいて携帯型照明デバイス１００の並進運動を検出し、対応する信号を制御モジュール１１０へ提供するように構成された光電子センサを含む。すなわち、光電子センサは、光源（発光ダイオードなど）と、表面に対する動きを検出するための光検出器（フォトダイオードのアレイ又は画像センサなど）とを備える。光電子センサ（本質的には低分解能のビデオカメラ）は、携帯型照明デバイス１００が位置決めされている表面の連続する画像を撮影し、画像分析に基づいて方向及び動きを計算することによって動作する。この例では、制御モジュール１１０は、少なくとも光電子センサから受け取った信号に基づいて、携帯型照明デバイス１００の並進運動を検出するように構成される。
【００４４】
メモリ１１６は、携帯型照明デバイス１００の並進運動に関連する事前定義された照明制御コマンドを記憶する。
【００４５】
携帯型照明デバイス１００の並進運動を検出したことに応答して、制御モジュール１１０は、メモリ１１６に照会して、光源１０６へ伝送するべき照明制御コマンドを決定し、決定した照明制御コマンドを光源１０６へ送るように構成される。
【００４６】
この照明コマンドは、光源１０６によって放出される光を制御するために使用される。たとえば、照明コマンドは、光源１０６によって放出される光の１つ又は複数の照明パラメータ（たとえば、強度、色、飽和度、色温度、サイズ、形状、パターン、ダイナミックスなど）を制御するために使用される。並進運動により、照明パラメータ値の漸進的な連続制御を提供し、又は離散的な段階を経る照明パラメータ値を提供することもできる。
【００４７】
制御モジュール１１０は、携帯型照明デバイス１００の検出された並進運動の方向に応じて、光源１０６へ伝送するのに適当な照明制御コマンドを選択する。
【００４８】
たとえば、携帯型照明デバイス１００の使用者が特定の方向に表面を横切って携帯型照明デバイス１００を摺動させたことに応答した並進運動の検出に応答して、照明パラメータ値を増大させるための照明コマンドが制御モジュール１１０によって選択され、逆方向の携帯型照明デバイス１００の並進運動の検出に応答して、照明パラメータ値を減少させるための照明コマンドが制御モジュール１１０によって選択される。
【００４９】
このようにして、たとえば、使用者は、光源１０６によって出力される光の光強度を増大させるには北の方位に、又は光源１０６によって出力される光の強度を減少させる（光を暗くする）には南の方位に、携帯型照明デバイス１００を摺動させることができる。同様に、摺動方向は、使用者が色空間を移動することを可能にするように構成することができる。また、たとえば色温度、動的効果の速度などの他の光パラメータを、摺動行動にマッピングすることもできる。
【００５０】
携帯型照明デバイス１００が絶対方位手段（磁力計、コンパス）を備える場合、メモリ１１６内に記憶された照明コマンドは、４方位（東西南北）への並進運動に関連付けられ、さらに８方位及び／又は１６方位への並進運動に関連付けられる。これにより、有利には、携帯型照明デバイス１００の厳密な向きとは関係なく、光源１０６によって放出される光の並進運動制御を行い、これは、摺動制御が照明デバイスの光効果の回転制御と組み合わせて使用される場合に有利である。
【００５１】
前述の実施形態では、光源１０６によって放出される光の複数の照明パラメータを、携帯型照明デバイス１００の使用者が制御することが可能である。少なくとも１つのセンサ１０８は、携帯型照明デバイス１００の使用者が別の照明パラメータを制御することを求めていることを示す使用者入力を検出し、モード切り換え出力信号を制御モジュール１１０へ提供するように構成されたモード切り換えセンサを含む。制御モジュール１１０は、モード切り換えセンサから受け取った信号に基づいて、光パラメータ制御モードを切り換えるべきであることを検出するように構成される。各光パラメータ制御モードで、制御モジュール１１０は、その支持表面に対する携帯型照明デバイス１００の検出された使用者の操作に応答して、光源１０６によって放出される光の異なる照明パラメータを制御するように構成される。
【００５２】
これにより、携帯型照明デバイス１００の使用者は、回転／並進運動によって複数の照明パラメータを制御することが可能になる。たとえば、使用者は、まず携帯型照明デバイス１００の回転又は並進運動によって色を選択し、次いで入力を提供し（モード切り換え行動がモード切り換えセンサによって検出されることを可能にする）、次に携帯型照明デバイス１００の回転又は並進運動によって明るさを制御する。
【００５３】
モード切り換えセンサは、携帯型照明デバイス１００の使用者によって接触されたことに応答して、モード切り換え出力信号を制御モジュール１１０へ提供するように構成されたタッチセンシティブセンサ（たとえば、容量式タッチセンサ、歪みセンサ、力覚センサなど）を含む。別法として、モード切り換えセンサは、携帯型照明デバイス１００の使用者によって押下されたことに応答して、モード切り換え出力信号を制御モジュール１１０へ提供するように構成された押しボタンスイッチを含む。別法として、携帯型照明デバイス１００上にすでに存在する運動センサ（たとえば、加速度計）が、モード切り換えセンサとして作用し、それによって制御モジュール１１０は、運動センサから受け取った所定の運動信号の検出に基づいて、光パラメータ制御モードを切り換えるべきであることを検出するように構成される。
【００５４】
別法として、制御される照明パラメータは、携帯型照明デバイス１００の向きに依存する。たとえば、携帯型照明デバイス１００のハウジング１０２は、携帯型照明デバイス１００が載せられる複数の面から形成され、これらの面がそれぞれ、特定の光設定又は光出力調整に対応する。これらの実施形態では、制御モジュール１１０は、携帯型照明デバイス１００の向き（たとえば、携帯型照明デバイス１００のどの面が支持表面上に載っているか）を検出し、検出した向きに基づいて光パラメータ制御モードを選択するように構成される。携帯型照明デバイス１００の向きの変化（たとえば、携帯型照明デバイス１００が支持表面上に載っている表面が変化したという変化）を検出したことに応答して、制御モジュール１１０は、光パラメータ制御モードを切り換えるべきであることを検出するように構成される。支持表面上に載っている携帯型照明デバイス１００の面の検出は、地球の重力を測定する加速度計（少なくとも１つのセンサ１０８）から受け取った信号に基づいて、制御モジュール１１０によって実施することができる。しかし、携帯型照明デバイス１００のどの面が支持表面に向けられているかを検出する傾斜センサ、機械式スイッチ、又は光センサなど、少なくとも１つのセンサ１０８の他のセンサもまた、この目的で使用することができる。
【００５５】
たとえば、携帯型照明デバイス１００が立方体形の電子ＬＥＤキャンドルの形態をとる実施形態では、制御モジュール１１０は、携帯型照明デバイス１００の１つの表面が支持表面上に載っているときは、携帯型照明デバイス１００の検出された回転／並進操作に応答して、光源１０６によって放出される光の色を制御し、携帯型照明デバイス１００の別の表面が支持表面上に載っているときは、携帯型照明デバイス１００の検出された回転／並進操作に応答して、光源１０６によって放出される光の強度を制御する。これは、概念を示すための単なる一例であることが理解されよう。
【００５６】
別法として、制御される照明パラメータは、携帯型照明デバイス１００が位置決めされる表面のタイプに依存する。この実施形態では、少なくとも１つのセンサ１０８は、携帯型照明デバイス１００が位置決めされている表面の特性（たとえば、反射率、色、表面パターン）を検出し、この特性を示す対応する信号を制御モジュール１１０へ提供するように構成されたセンサ（たとえば、光センサ）を含む。
【００５７】
メモリ１１６は、それぞれがセンサによって検出可能な特性の値範囲に関連する複数の表面タイプを含む事前定義された表面タイプ情報、及びこの表面タイプに関連する照明パラメータを記憶する。制御モジュール１１０は、表面タイプを検出し、したがって検出した特性の値を使用してメモリ１１６に照会することによって、制御するべき照明パラメータを検出するように構成される。
【００５８】
たとえば、制御モジュール１１０は、携帯型照明デバイス１００が木製の表面上に位置決めされていると推定したときは、携帯型照明デバイス１００の検出された回転／並進操作に応答して、光源１０６によって放出される光の色を制御し、携帯型照明デバイス１００が塗装された表面上に位置決めされていると推定したときは、携帯型照明デバイス１００の検出された回転／並進操作に応答して、光源１０６によって放出される光の強度を制御する。これは、概念を示すための単なる一例であることが理解されよう。
【００５９】
携帯型照明デバイス１００によって出力される光の回転／摺動制御により、ボタン及び／又はタッチセンシティブ表面などのさらなる使用者対話手段の提供が必要ではなくなるため、携帯型照明デバイス１００の技術的な複雑さを低減させることが可能になる。
【００６０】
使用者が携帯型照明デバイス１００によって放出される光を制御しようとする以外の理由でデバイスを操作しているときの携帯型照明デバイス１００によって放出される光の意図しない制御を避けるために、実施形態では、制御モジュール１１０は、対話動作モードで選択的に動作することが可能である。制御モジュール１１０が対話動作モードで動作しているときのみ、制御モジュール１１０は、感知された運動入力を照明コマンドに変換して、携帯型照明デバイス１００の光源１０６を制御する。
【００６１】
図３は、携帯型照明デバイス１００の制御モジュール１１０によってその動作モードを制御するために実施されるプロセス３００の流れ図である。
【００６２】
ステップＳ３０２で、制御モジュール１１０は、センサ１０８の１つ又は複数からセンサ入力を受け取り、ステップＳ３０４で、センサ入力に基づいて、対話モードで動作するべきかどうかを決定する。
【００６３】
制御モジュール１１０が、対話モードで動作するべきであると決定した場合、プロセス３００はステップＳ３０６へ進む。制御モジュール１１０がすでに対話モードで動作している場合、プロセス３００はステップＳ３０２へ戻り、そうでない場合、プロセス３００はステップＳ３０８へ進み、ステップＳ３０８で、制御モジュール１１０は対話モードを有効にし、その結果、対話モードが有効になり、したがって制御モジュール１１０は、携帯型照明デバイスが支持されている支持表面に対する携帯型照明デバイス１００の検出された使用者の操作に基づいて、光源１０６を制御するように動作可能になる。
【００６４】
ステップＳ３０４に戻ると、制御モジュール１１０が、対話モードで動作するべきでないと決定した場合、プロセス３００はステップＳ３１０へ進む。制御モジュール１１０が対話モードで動作していない場合、プロセス３００はステップＳ３０２へ戻り、そうでない場合、プロセス３００はステップＳ３１２へ進み、ステップＳ３１２で、制御モジュール１１０は対話モードを無効にし、その結果、対話モードが無効になり、したがって制御モジュール１１０は、携帯型照明デバイス１００が支持されている支持表面に対する携帯型照明デバイス１００の検出された使用者の操作に基づいて、光源１０６を制御するように動作可能でなくなる。
【００６５】
制御モジュール１１０は、ステップＳ３０４で、以下でより詳細に説明する様々なやり方で決定を実行する。
【００６６】
ステップＳ３０４で、制御モジュール１１０は、携帯型照明デバイス１００が実質上水平の平面内に位置決めされているという決定に基づいて、対話モードで動作するべきであると決定する。「実質上水平」という用語は、水平面から４５°未満に対して水平な向きを有する平面を指すために使用し、この誤差は、特許請求の範囲の範囲内である。制御モジュール１１０は、センサ１０８から受け取った信号に基づいて、この決定を行うことが可能である。たとえば、制御モジュール１１０は、加速度計、ジャイロスコープ、及び／又は傾斜センサから受け取った信号に基づいて、携帯型照明デバイス１００が実質上水平の平面内に位置決めされていると決定する。
【００６７】
ステップＳ３０４で、制御モジュール１１０は、携帯型照明デバイス１００が支持表面上に位置決めされているという決定に基づいて、対話モードで動作するべきであると決定する。制御モジュール１１０は、センサ１０８から受け取った信号に基づいて、この決定を行うことが可能である。
【００６８】
たとえば、制御モジュール１１０は、ハウジング１０２の底面上に位置する押しボタンスイッチから受け取った信号に基づいて、携帯型照明デバイス１００が支持表面上に位置決めされていると決定し、ハウジング１０２の底面が支持表面に接触するために押下されることに応答して、出力信号を制御モジュール１１０へ提供するように構成される。
【００６９】
別の例では、制御モジュール１１０は、ハウジング１０２の底面上に位置する光電子センサから受け取った信号に基づいて、携帯型照明デバイス１００が支持表面上に位置決めされていると決定し、感知された光の量を示す出力信号を提供するように構成される。たとえば、光電子センサから受け取った信号が所定のレベルを下回るとき、制御モジュール１１０は、携帯型照明デバイス１００が支持表面上に位置決めされていると決定する（支持表面が光電子センサを覆うことで感知される光の量が低減したため）。光電子センサは、環境光の量を検出するセンサ（フォトレジスタ、フォトトランジスタ、フォトダイオードなど）を含む。別法として、光電子センサは、光源（発光ダイオード又はレーザなど）と、支持表面から反射した光を測定（光学式コンピュータマウスに類似のやり方）するための光検出器（フォトダイオードのアレイ又は画像センサなど）とを含む。
【００７０】
ステップＳ３０４で、制御モジュール１１０は、携帯型照明デバイス１００の使用者が他の理由ではなく光源１０６によって放出される光を制御するために携帯型照明デバイス１００を動かしていることを示すような形で、携帯型照明デバイス１００が保持、接触、及び／又は操作されているという決定に基づいて、対話モードで動作するべきであると決定する。制御モジュール１１０は、センサ１０８から受け取った信号に基づいて、この決定を行うことが可能である。
【００７１】
制御モジュール１１０は、運動センサ（たとえば、加速度計、ジャイロスコープ、及び／若しくは傾斜センサ）、力覚センサ、並びに／又はタッチセンシティブセンサ（たとえば、容量式タッチセンサ）によって、携帯型照明デバイス１００の使用者が携帯型照明デバイス１００を保持、接触、及び／又は操作しているやり方の特性を検出するように構成される。
【００７２】
メモリ１１６は、携帯型照明デバイス１００の使用者が他の理由ではなく光源１０６によって放出される光を制御するために携帯型照明デバイス１００と対話しているような形で、携帯型照明デバイス１００が保持、接触、及び／又は操作されていることを示す所定の力、接触、及び／又は動きの情報を記憶する。
【００７３】
制御モジュール１１０は、メモリ１１６に照会して、運動センサ、力覚センサ、及び／又はタッチセンシティブセンサから受け取った信号を所定の力、接触、及び／又は動きの情報と比較し、携帯型照明デバイス１００の使用者が他の理由ではなく光源１０６によって放出される光を制御するために携帯型照明デバイス１００と対話しているかどうかを決定するように構成される。
【００７４】
たとえば、携帯型照明デバイス１００がどこで、何本の指で、どのような特定の握り方で接触されたか、携帯型照明デバイス１００がどの方向に動かされたか、及び／又は携帯型照明デバイス１００に印加される力に応じて、使用者がその光効果を制御するために携帯型照明デバイス１００を動かしたのか、それとも他の理由でデバイスを動かそうとしたのかを示す。
【００７５】
メモリ１１６は、携帯型照明デバイス１００がどこで接触されているかに基づいて、携帯型照明デバイス１００が、使用者と携帯型照明デバイス１００との間の距離が減少するように、携帯型照明デバイス１００を動かしている使用者に向かう方へ動かされている（すなわち、引き寄せられている）こと、又は使用者と携帯型照明デバイス１００との間の距離が増大するように、携帯型照明デバイス１００を動かしている使用者から離れる方へ動かされている（すなわち、押し出されている）ことを示すさらなる所定の力及び／又は接触の情報を記憶する。メモリ１１６は、使用者に向かう方への携帯型照明デバイス１００の並進運動及び使用者から離れる方への携帯型照明デバイス１００の並進運動に関連する事前定義された照明制御コマンドをさらに記憶する。
【００７６】
一実施形態では、制御モジュール１１０は、使用者の操作中、力覚センサ及び／又はタッチセンシティブセンサから受け取った信号に基づいて、携帯型照明デバイス１００に接触している使用者の指の位置を決定するように構成される。メモリ１１６に照会することによって、制御モジュール１１０は、携帯型照明デバイス１００の並進運動が、携帯型照明デバイス１００を操作している使用者に向かっているのか、それとも離れているのかを検出し、この検出に基づいて、光源１０６から放出される光を制御するように構成される。たとえば、携帯型照明デバイス１００上の使用者の指の大部分の位置を決定することによって、制御モジュール１１０は、使用者が携帯型照明デバイス１００を自身のより近くへ引き寄せているのか、それとも自身から離れる方へ押し出しているのかを決定することができる。
【００７７】
一例では、制御モジュール１１０は、光源１０６への適当な照明コマンドの伝送による検出に応答して、光源１０６によって放出される光の強度を制御する。たとえば、制御モジュール１１０は、使用者が携帯型照明デバイス１００を使用者から離れる方へ動かしていることを検出したことに応答して、光源１０６によって出力される光の強度を増大させ（光を明るくする）、使用者が携帯型照明デバイス１００を使用者に向かう方へ動かしていることを検出したことに応答して、光源１０６によって出力される光の強度を減少させる（光を暗くする）。これは単なる一例であり、他の照明パラメータも同様に制御されることが理解されよう。
【００７８】
制御モジュール１１０によって実行されるプロセス３００は、携帯型照明デバイス１００の意図しない制御を避ける。たとえば、携帯型照明デバイス１００が持ち上げられ、又は家の別の領域へ動かされた場合、制御モジュール１１０は、デバイスが検出された運動に応答するべきでなく、したがって対話モードが無効にされるべきである（有効の場合）と決定する。
【００７９】
図３は、受け取ったセンサ入力に基づいてステップＳ３０４で決定を行う制御モジュール１１０を示すが、制御モジュール１１０は、遠隔制御デバイス（たとえば、スマートフォン）から受け取った命令の受け取りに基づいて、対話モードで動作するべきであると決定することもできる。
【００８０】
図１に示すように、制御モジュール１１０は、通信インターフェース１１２に結合される。通信インターフェース１１２は、情報及び／又は命令を遠隔デバイスへ伝送すること及び遠隔デバイスから受け取ることを可能にする。通信インターフェース１１２は、有線通信ネットワーク（たとえば、イーサネット（登録商標）若しくはＤＭＸネットワーク）、又は無線通信ネットワーク（たとえば、Ｗｉ−Ｆｉ（登録商標）、Ｚｉｇｂｅｅ（登録商標）、近距離通信（ＮＦＣ）、Ｂｌｕｅｔｏｏｔｈ（登録商標）、若しくは他の低速無線パーソナルエリアネットワーク）を介して、遠隔演算デバイスへの接続を可能にする。
【００８１】
使用者は、通信インターフェース１１２を介して携帯型照明デバイス１００との接続を確立することが可能な遠隔制御デバイスを使用して、光源１０６によって放出される光の照明パラメータを指定することが可能であり、これらの照明パラメータは、携帯型照明デバイス１００が支持されている支持表面に対する携帯型照明デバイス１００の操作によって制御される。すなわち、制御モジュール１１０は、通信インターフェース１１２を介して遠隔制御デバイスから受け取った命令の受け取りに基づいて、その光パラメータ制御モードを制御するべきであることを検出するようにさらに構成される。
【００８２】
図４は、携帯型照明デバイス１００の光源１０６から放出される光を制御するために制御モジュール１１０によって実施されるプロセス４００の流れ図である。
【００８３】
ステップＳ４０２で、制御モジュール１１０は、センサ１０８の１つ又は複数からセンサ入力を受け取り、ステップＳ４０４で、センサ入力に基づいて、携帯型照明デバイス１００が支持されている支持表面に対する携帯型照明デバイス１００の操作を検出する。携帯型照明デバイス１００の使用者の操作の例示的なタイプは上述したとおりであり、これらは、携帯型照明デバイス１００の回転運動及び並進運動を含む。
【００８４】
ステップＳ４０６で、制御モジュール１１０は、制御モジュール１１０が対話モードで動作している（すなわち、対話モードが有効である）間に使用者の操作の検出が行われたかどうかを決定する。
【００８５】
制御モジュール１１０が対話モードで動作している間に使用者の操作の検出が行われたと、制御モジュール１１０がステップＳ４０６で決定した場合、プロセス４００はステップＳ４０８へ進む。ステップＳ４０８で、制御モジュール１１０は、携帯型照明デバイス１００の検出された使用者の操作に基づいて、光源１０６によって出力される光を制御する。
【００８６】
制御モジュール１１０が対話モードで動作していない（すなわち、対話モードが無効である）間に使用者の操作の検出が行われたと、制御モジュール１１０がステップＳ４０６で決定した場合、プロセス４００はステップＳ４０２に戻り、したがって制御モジュール１１０は、携帯型照明デバイス１００の検出された使用者の操作に基づいて、光源１０６によって出力される光を制御しない。
【００８７】
プロセス４００から、制御モジュール１１０が対話動作モードで動作しているときのみ、制御モジュール１１０が、感知された運動入力を照明コマンドに変換して、携帯型照明デバイス１００の光源１０６を制御することが分かる。これにより、たとえば使用者が携帯型照明デバイス１００の光出力を制御することを意図しないときに携帯型照明デバイス１００を動かしたとき、携帯型照明デバイス１００の意図しない制御が防止される。
【００８８】
使用者が携帯型照明デバイス１００を動かすことによって携帯型照明デバイス１００を制御するとき、使用者の手は、デバイスの大部分を覆っており、光源１０６によって放出される光をどのように制御するかに関するフィードバックを使用者に提供することが困難になる。たとえば、使用者の手は、光源１０６によって放出される光をどのように制御するかに関するフィードバックを使用者に提供する携帯型照明デバイス１００のハウジング１０２上のマーク（＋／−方向などを示す）の視認性を妨げる。
【００８９】
図１に示すように、制御モジュール１１０は、少なくとも１つの発光フィードバック素子１１４に結合される。少なくとも１つの発光フィードバック素子１１４は、携帯型照明デバイス１００の使用者がデバイスを操作したときに変動する照明パラメータ、及び携帯型照明デバイス１００の操作が照明パラメータをどのように変動させたかに関する表示を提供するための光を携帯型照明デバイス１００の環境内へ放出するように配置された複数の光源（例は上述した）を備える。
【００９０】
制御モジュール１１０は、使用者の行動が検出されかつ制御モジュール１１０が対話モードで動作している場合にのみフィードバックを与えるように、少なくとも１つの発光フィードバック素子１１４を制御する。
【００９１】
制御モジュール１１０が、携帯型照明デバイス１００の回転を検出し、検出された使用者の操作に基づいて、光源１０６から放出される光を制御するように構成される実施形態では、発光フィードバック素子１１４は、各方向（時計回り及び反時計回り）への携帯型照明デバイス１００の回転が、制御モジュール１１０の有効な光パラメータ制御モードで制御可能な照明パラメータをどのように制御するかに関する表示を提供する。
【００９２】
制御モジュール１１０が、携帯型照明デバイス１００の並進運動を検出し、検出された使用者の操作に基づいて、光源１０６から放出される光を制御するように構成される実施形態では、発光フィードバック素子１１４は、特定の方向への携帯型照明デバイス１００の並進運動が、制御モジュール１１０の有効な光パラメータ制御モードで制御可能な照明パラメータをどのように制御するかに関する表示を提供する。
【００９３】
制御モジュール１１０が、携帯型照明デバイス１００の回転と並進運動の両方を検出し、検出された使用者の操作に基づいて、光源１０６から放出される光を制御するように構成される実施形態では、２つの発光フィードバック素子が設けられ、それぞれ光源１０６から放出される光をどのように制御するかに関するフィードバックを携帯型照明デバイス１００の使用者に提供する。
【００９４】
図５は、携帯型照明デバイス１００のハウジング１０２の外面上に発光フィードバック素子１１４ａ及び１１４ｂを備える例示的な携帯型照明デバイス１００の側面図を示す。携帯型照明デバイス１００の一部分が円形の横断面領域を有するような携帯型照明デバイス１００の形態では、発光フィードバック素子１１４ａ及び１１４ｂは、携帯型照明デバイス１００の円周に位置するリングの形態をとる。
【００９５】
図５に示すように、発光フィードバック素子１１４ａの光源は、携帯型照明デバイス１００の回転に応答して制御モジュール１１０の有効な光パラメータ制御モードで制御可能である照明パラメータの変動する値で光５０２を放出する。発光フィードバック素子１１４ａの光源は、照明パラメータの漸進的に増大する値で光５０２を放出し（図５に示す）、又は別法として、離散的な段階の照明パラメータ値で光５０２を放出する。
【００９６】
図５に示すように、発光フィードバック素子１１４ｂの光源は、携帯型照明デバイス１００の並進運動に応答して制御モジュール１１０の有効な光パラメータ制御モードで制御可能である照明パラメータの変動する値で光５０４を放出する。発光フィードバック素子１１４ｂの光源は、離散的な段階の照明パラメータ値で光５０４を放出し（図５に示す）、又は別法として、照明パラメータの漸進的に増大する値で光５０４を放出する。
【００９７】
たとえば、光源１０６から放出される光の色が、制御モジュール１１０の有効な光パラメータ制御モードで制御可能である場合、発光フィードバック素子１１４ｂは、携帯型照明デバイス１００が異なる方向に動かされるときに光源１０６から放出される光の色をどのように制御することができるかを示す異なる色５０６ａ、５０６ｂ、５０６ｃ、５０６ｄで、携帯型照明デバイス１００のハウジング１０２の外面の周りに光５０４を放出する。これらの色の１つ５０６に関連する方向への携帯型照明デバイス１００の並進運動を検出したことに応答して、制御モジュール１１０は、光源１０６から放出される光の現在の色の色値に、方向に関連する色の色値（たとえば、赤色、緑色、及び青色（ＲＧＢ）の成分に対する個別の数値）を加えるように光源１０６に指示する照明コマンドの伝送によって、光源１０６から放出される光の色を制御する。したがって、この摺動による対話によって、完全な色空間（等しい強度）に到達することができる。
【００９８】
したがって、発光フィードバック素子１１４は、使用者がその光出力を制御するために携帯型照明デバイス１００を保持しているときでも、光源１０６によって放出される光をどのように制御するかに関するフィードバックを携帯型照明デバイス１００の使用者に提供することを可能にすることが分かる。
【００９９】
発光フィードバック素子１１４の提供に対する追加又は代替として、制御モジュール１１０の有効な光パラメータ制御モードで制御可能な照明パラメータをどのように制御するかに関するフィードバックを使用者に提供するために、携帯型照明デバイス１００のハウジング１０２上に可視マーク（＋／−方向などを示す）が設けられる。
【０１００】
実施形態について、携帯型照明デバイス１００が支持されている支持表面に対する携帯型照明デバイス１００の使用者による回転及び／又は並進運動の検出に基づいて、光源１０６によって放出される光を制御する制御モジュール１１０を参照して上述したが、他の実施形態では、制御モジュール１１０は、携帯型照明デバイス１００の使用者の他の操作の検出に基づいて、光源１０６によって放出される光をさらに制御するように構成される。携帯型照明デバイス１００の使用者のこれらの他の操作は、たとえば、携帯型照明デバイス１００を持ち上げること、表面上に配置すること、タップすること、振ること、さいころのように転がすこと、及び／又は１つ若しくは複数の３次元のジェスチャを含む。
【０１０１】
メモリ１１６は、携帯型照明デバイス１００のこれらの他の操作に関連する事前定義された照明制御コマンドを記憶する。制御モジュール１１０は、センサ１０８（たとえば、タッチセンシティブセンサ、又は３軸加速度計、ジャイロスコープ、磁気センサなどの運動センサ）から受け取った信号に基づいて、使用者のこれらの他の操作の１つを検出するように構成される。
【０１０２】
携帯型照明デバイス１００の使用者のこれらの他の操作の１つを検出したことに応答して、制御モジュール１１０は、メモリ１１６に照会して、光源１０６へ伝送するべき照明制御コマンドを決定し、決定した照明制御コマンドを光源１０６へ送って、光源１０６によって放出される光を制御するように構成される。
【０１０３】
たとえば、携帯型照明デバイス１００は、事前定義され記憶された１組のジェスチャの動きをメモリ１１６内に有することができ、これらの動きは、制御モジュール１１０によって認識された後、光源１０６による特殊な光効果をもたらすことができる。携帯型照明デバイス１００を操作することによって、動的効果（光源１０６によって放出される光が時間とともにどのように変動するかによって定義される）を構成又は調整できるようにすることも可能である。たとえば、携帯型照明デバイス１００の使用者は、回転制御を使用して、光源１０６によって放出される光の色を設定し、摺動制御を使用して、光の明るさを調整し、次いで携帯型照明デバイス１００上をタップすることによって（又は台上の照明デバイスをタップすることによって）リズムをタップし、それによって動的光効果が生成される所望の速度を示すことができる。たとえば、所定のタップ数の検出後、携帯型照明デバイス１００は、検出したタップリズムによって示される速度で選択された色照明効果の明るさを調整することによって、パルス状の光効果を生じさせることを開始する。
【０１０４】
実施形態について、単一の携帯型照明デバイス１００を参照して上述したが、携帯型照明デバイス１００は、照明システム内の１つ又は複数の他の「接続された」照明デバイスとともに、接続された照明システム内へ組み込むこともできる。「接続された」照明デバイスとは、照明デバイスの制御のためのより多くの可能性を許容するために、無線又は有線接続を介して１つ又は複数の他のそのようなデバイスに接続された照明デバイスを指す。たとえば、当該照明デバイスは、Ｗｉ−Ｆｉ（登録商標）、Ｚｉｇｂｅｅ（登録商標）、又はＢｌｕｅｔｏｏｔｈ（登録商標）ネットワークなどの有線又は無線ネットワークの一部として、１つ又は複数の他のデバイスに接続されることが多い。
【０１０５】
図６は、携帯型照明デバイス１００と、さらなる接続された照明デバイス１００ａ、１００ｂ、及び１００ｃとを備える接続された照明システム６００を示す。３つのさらなる接続された照明デバイスを照明システム６００内に示すが、この数は単なる一例であることが理解されよう。さらなる接続された照明デバイス１００ａ、１００ｂ、及び１００ｃの１つ又は複数はまた、携帯型照明デバイスである（図６に示す）。別法又は追加として、さらなる接続された照明デバイス１００ａ、１００ｂ、及び１００ｃの１つ又は複数は、固定の照明デバイスである（すなわち、携帯型照明デバイス１００の環境内の固定位置、たとえば天井及び／若しくは壁、並びに／又は床若しくは地面に固定された街灯に設置される）。
【０１０６】
いくつかの実施形態では、携帯型照明デバイスが支持されている支持表面に対する携帯型照明デバイス１００の使用者の操作の検出に基づいて、光源１０６によって放出される光の照明パラメータを制御するための照明コマンドを決定したことに応答して、制御モジュール１１０は、さらなる接続された照明デバイス１００ａ、１００ｂ、１００ｃから放出される光を制御するための照明コマンドを、無線ネットワークにより通信インターフェース１１２を介して、さらなる接続された照明デバイス１００ａ、１００ｂ、１００ｃの１つ又は複数へ伝送するように構成される。したがって、携帯型照明デバイス１００は、様々な「スレーブ」照明デバイスから放出される光を制御するための「マスタ」の役割を担うことができることが分かる。これらの実施形態では、携帯型照明デバイス１００との対話の結果、複数の接続された照明デバイス上の光効果を変化させることができる（たとえば、室内のすべての光を暗くする）。
【０１０７】
加えて、携帯型照明デバイス１００は、接続された照明システム６００内の特定の接続された照明デバイスを、その位置に基づいて制御することが可能である。たとえば、携帯型照明デバイス１００は、携帯型照明デバイス１００が配置された特定の領域又は区間内に位置する接続された照明デバイスを制御する。たとえば、携帯型照明デバイス１００は、キッチン内に位置する場合、キッチン内に位置する接続された照明デバイスのみを制御するように構成され、携帯型照明デバイス１００が居間内に位置する場合、携帯型照明デバイス１００は、居間内に位置する接続された照明デバイスのみを制御するように構成される。
【０１０８】
制御モジュール１１０は、地球の表面に対する地理的位置の点から携帯型照明デバイス１００の位置を決定する地理的位置特定技術、たとえば、ＧＰＳ（全地球測位システム、支援型ＧＰＳ若しくはディファレンシャルＧＰＳなどの可能な変形形態を含む）、ＧＬＯＮＡＳＳ（全地球航法衛星システム）、又はＧａｌｉｌｅｏなどの衛星による測位システムを利用する。携帯型照明デバイス１００と同じ区間又は領域内の接続された照明デバイスは、メモリ１１６又は遠隔位置データベース内に記憶されている事前に記憶された位置情報に照会することによって決定され、この位置情報は、接続された照明システム６００内の固定された照明デバイスの位置を定義する。
【０１０９】
別法又は追加として、携帯型照明デバイス１００の位置は、接続された照明システム６００内の複数の無線基準ノードに対して決定することができる。これらのノードはまた、アンカーノードと呼ばれることもある。これらのアンカーは、位置が事前に知られている無線ノードであり、メモリ１１６又は遠隔位置データベース内に記録されており、メモリ１１６又は遠隔位置データベースに照会して、ノードの位置を調べることができる。したがって、アンカーノードは、位置特定のための基準ノードとして作用する。携帯型照明デバイス１００と複数のアンカーノードとの間で伝送される信号の測定、たとえばそれぞれの信号のＲＳＳＩ（受信信号強度インジケータ）、ＴｏＡ（到着時間）、及び／又はＡｏＡ（入射角度）が得られる。次いで、３つ以上のノードからのそのような測定を考慮して、三辺測量、マルチラテレーション、又は三角測量などの技法を使用して、制御モジュール１１０によってアンカーノードに対する携帯型照明デバイス１００の位置が決定される。これにより、携帯型照明デバイス１００の相対位置及びアンカーノードの既知の位置を考慮して、たとえば地球、又は接続された照明システム６００内の固定された照明デバイスの位置を示す地図若しくは照明平面図に対して、携帯型照明デバイス１００の位置をより絶対的に決定することが可能になる。
【０１１０】
携帯型照明デバイスの位置の決定は、「デバイス中心」の手法又は「ネットワーク中心」の手法によって実行される。デバイス中心の手法によれば、各アンカー又は基準ノードが、それぞれのビーコン信号を放出する。携帯型照明デバイス１００は、基準ノードから受け取ったビーコン信号の測定を行い、メモリ１１６又は遠隔位置データベースからそれらのノードの位置を取得し、計算を実行して、携帯型照明デバイス１００自体でその特有の位置を決定する。他方では、ネットワーク中心の手法によれば、基準ノードを使用して、携帯型照明デバイス１００から受け取ったビーコン信号の測定を行い、位置サーバなどの接続された照明システム６００の要素が、計算を実行して、携帯型照明デバイスの位置を決定する。当業者には知られているように、複合的な手法も可能である。
【０１１１】
したがって、携帯型照明デバイス１００が特定の区間又は領域（たとえば、家の中の部屋）内に位置することが分かることを条件として、接続された照明システム６００内の照明の制御へのアクセスが携帯型照明デバイス１００に提供される。
【０１１２】
アンカーノードのビーコン機能は、アンカーノードが別個の専用の独立したユニットになるのではなく、接続された照明システム６００の接続された照明デバイス内に一体化される。
【０１１３】
位置による光制御のための他の位置特定技法も当業者にはよく知られており、したがって本明細書ではこれ以上詳細に説明しない。
【０１１４】
さらに、携帯型照明デバイス１００は、接続された照明システム６００のうち、携帯型照明デバイス１００の特定の近接範囲内に位置する特定の接続された照明デバイスを制御することが可能である。たとえば、携帯型照明デバイス１００は、同じＷｉ−Ｆｉ（登録商標）若しくはＺｉｇｂｅｅ（登録商標）ネットワークに接続され又はＢｌｕｅｔｏｏｔｈ（登録商標）範囲内に位置する接続された照明デバイスを制御する。どの接続された照明デバイスが携帯型照明デバイス１００から特定の距離範囲内に位置するかを検出するために携帯型照明デバイス１００によって利用される他の技法も当業者にはよく知られており、したがって本明細書ではこれ以上詳細に説明しない。
【０１１５】
上記の実施形態は、例示のみを目的として記載したことが理解されよう。
【０１１６】
当業者であれば、クレームする本発明を実施する際、本図面、本開示、及び添付の特許請求の範囲を検討することによって、開示する実施形態に対する他の変形形態を理解及び実行することができる。特許請求の範囲では、「備える、含む（ｃｏｍｐｒｉｓｉｎｇ）」という単語は、他の要素又はステップを除外するものではなく、不定冠詞「ａ」又は「ａｎ」は、複数を除外するものではない。単一のプロセッサ又は他のユニットが、特許請求の範囲に記載するいくつかの物品の機能を満たすこともできる。相互に異なる従属請求項で特定の方策に言及することだけで、これらの方策の組合せを有利に使用できないことを示すものではない。コンピュータプログラムが、他のハードウェアとともに又は他のハードウェアの一部として供給される光記憶媒体又は固体媒体などの適した媒体上で記憶／分配されるが、インターネット又は他の有線若しくは無線電気通信システムを介するなどの他の形態で分配されてもよい。特許請求の範囲内のいかなる参照符号も、範囲を限定すると解釈されるべきではない。
【図１】
0006466596.tif 000002
【図２ａ】
0006466596.tif 000003
【図２ｂ】
0006466596.tif 000004
【図３】
0006466596.tif 000005
【図４】
0006466596.tif 000006
【図５】
0006466596.tif 000007
【図６】
0006466596.tif 000008